(57)【要約】【課題】消毒装置の情報を、管理センターで一元的に管理することができ、情報の共有性及びメンテナンス性を向上させることができる乗客コンベアの移動手摺消毒装置を提供すること。【解決手段】  エスカレータ１のステップと同期して周回移動する移動手摺５を消毒するための移動手摺消毒装置１０であって、移動手摺５の送り出し側のインレット部６Ａの手前に設置され、移動手摺５の表面の消毒を行う消毒手段（塗布部材１１や消毒液供給部２４等）と、汚れ検出部４０による汚れ検出状態に基づいて、消毒手段による消毒動作を制御する制御部６０と、当該消毒装置１０の情報を外部の管理センター１００へ送信する通信部５０とを装備する。【選択図】図２
2014129175.tif 000002
【特許請求の範囲】
【請求項１】
乗客コンベアのステップと同期して周回移動する移動手摺を消毒するための移動手摺消毒装置であって、
前記移動手摺の引き込み側又は送り出し側の少なくとも一方の手摺出入口の手前に設置される、前記移動手摺の表面の消毒を行う消毒手段と、
予め定められた作動条件に基づいて、前記消毒手段による消毒動作を制御する制御手段と、
当該消毒装置で得られた情報を外部の管理センターへ送信する通信手段とを備えていることを特徴とする乗客コンベアの移動手摺消毒装置。
【請求項２】
前記移動手摺の表面の汚れを検出する汚れ検出手段を備え、
前記制御手段が、前記汚れ検出手段により検出された汚れ状態に基づいて、前記消毒手段による消毒動作を行うタイミング及び時間を制御するとともに、
前記通信手段を制御して、前記汚れ検出手段により検出された汚れ状態に関する情報を前記管理センターへ送信するものであることを特徴とする請求項１記載の乗客コンベアの移動手摺消毒装置。
【請求項３】
前記乗車コンベアに乗車する人数を検出する乗車人数検出手段を備え、
前記制御手段が、前記乗車人数検出手段により検出される累積乗車人数に基づいて、前記消毒手段による消毒動作を行うタイミング及び時間を制御するとともに、
前記通信手段を制御して、前記乗車人数検出手段により検出される累積乗車人数に関する情報を前記管理センターへ送信するものであることを特徴とする請求項１記載の乗客コンベアの移動手摺消毒装置。
【請求項４】
前記移動手摺に身体の一部が接触していることを検出する手摺接触検出手段を備え、
前記制御手段が、前記手摺接触検出手段により検出される手摺接触検出状態に基づいて、前記消毒手段による消毒動作を行うタイミング及び時間を制御するとともに、
前記通信手段を制御して、前記手摺接触検出手段により検出される手摺接触検出状態に関する情報を前記管理センターへ送信するものであることを特徴とする請求項１記載の乗客コンベアの移動手摺消毒装置。
【請求項５】
前記移動手摺の表面に付着している所定のウイルスを検出するウイルス検出手段を備え、
前記制御手段が、前記ウイルス検出手段により検出されるウイルス検出状態に基づいて、前記消毒手段による消毒動作を行うタイミング及び時間を制御するとともに、
前記通信手段を制御して、前記ウイルス検出手段により検出される前記所定のウイルスの検出状態に関する情報を前記管理センターへ送信するものであることを特徴とする請求項１記載の乗客コンベアの移動手摺消毒装置。
【請求項６】
前記消毒手段が、
複数の塗布部材を個別に収納可能な収納手段と、
該収納手段から取り出された塗布部材を保持するとともに、該保持された塗布部材に消毒液を供給する消毒液供給手段と、
前記収納手段に収納されている前記塗布部材を前記消毒液供給手段に保持させる機能とともに、前記消毒液供給手段に保持されている前記塗布部材を前記収納手段に収納する機能を有する塗布部材交換手段とを備え、
前記消毒液供給手段に保持された前記塗布部材を、前記移動手摺の表面に接触させて、消毒液を塗布するように構成されていることを特徴とする請求項１〜５のいずれかの項に記載の乗車コンベアの移動手摺消毒装置。
【請求項７】
前記消毒手段を構成する前記消毒液供給手段が、
第１の消毒液を貯留可能な第１の貯留部と、第２の消毒液を貯留可能な第２の貯留部とを有し、
前記制御手段が、前記第１の貯留部に前記第１の消毒液を供給するタイミングと、前記第２の貯留部に前記第２の消毒液を供給するタイミングとを個別に制御するものであることを特徴とする請求項６記載の乗客コンベアの移動手摺消毒装置。
【請求項８】
前記消毒手段が、
前記移動手摺の表面に接触させて回転させる塗布ローラと、
該塗布ローラの表面に接触させて回転させながら、前記塗布ローラに第１の消毒液を供給する第１の含浸ローラと、
前記塗布ローラの表面に接触させて回転させながら、前記塗布ローラに第２の消毒液を供給する第２の含浸ローラと、
前記塗布ローラに接触させるローラを前記第１の含浸ローラ又は前記第２の含浸ローラに切り換える接触ローラ切換手段とを備え、
前記制御手段が、
予め定められた切換条件が成立した場合に、前記接触ローラ切換手段を制御して、前記塗布ローラに接触させるローラを前記第１の含浸ローラから前記第２の含浸ローラに、又は前記第２の含浸ローラから前記第１の含浸ローラに切り換える機能を有していることを特徴とする請求項１〜６のいずれかの項に記載の乗客コンベアの移動手摺消毒装置。
【請求項９】
前記塗布ローラの回転速度が、前記移動手摺の移動速度よりも遅くなるように、前記塗布ローラの回転速度を抑制する回転速度抑制手段を備えていることを特徴とする請求項８記載の乗車コンベアの移動手摺消毒装置。
【発明の詳細な説明】
【技術分野】
【０００１】
本発明は乗客コンベアの移動手摺消毒装置に関し、より詳細には、エスカレータや動く歩道などの乗客コンベアの移動手摺の表面を消毒することのできる乗客コンベアの移動手摺消毒装置に関する。
【背景技術】
【０００２】
駅やデパート等の公共施設や商業施設等には、エスカレータが設置されている。エスカレータには、利用者が立つステップの両側にステップと同期して周回移動する無端状の移動手摺が設けられている。エスカレータを安全に利用するためには、利用者は、移動手摺を掴んだ状態でステップの上に乗り、利用中も移動手摺を掴んだ状態でいることが望まれる。
【０００３】
しかし、エスカレータの移動手摺は、不特定多数の利用者が掴むものであるため、移動手摺に触れるのを望まない利用者もいる。特にインフルエンザなどが流行している時節においては、移動手摺を介してのウイルス感染を懸念して、移動手摺に触れないようにして乗車する利用者も多い。
【０００４】
そこで、従来より、乗車コンベアの移動手摺を消毒する装置が提案されている。例えば、下記の特許文献１には、移動手摺の表面の消毒を行うローラが、移動手摺の入り込み口近傍のトラス内に設置され、エスカレータの乗車口に利用者が来たことをセンサで検知すると、移動手摺が１周移動する時間ほどローラを移動手摺に接触させて、移動手摺の消毒を行うことのできる装置が開示されている。
【０００５】
しかしながら、特許文献１記載の消毒装置では、エスカレータの利用者を検知すると、ローラによる消毒を行う構成のため、通行人が多い場所では、結局のところ常時、ローラによる消毒を行うこととなり、移動手摺と接触するローラ等の劣化や汚れが早く進み、また、ローラがトラス内に設けられているので、それらの交換等のメンテナンス作業も容易ではないという課題があった。
【０００６】
また、特許文献１記載の消毒装置では、移動手摺の汚れ（粉塵などの小さなゴミ、油分等）やウイルス等の付着状況とは関係なく、消毒を行うため、消毒液の補充やローラの交換頻度が高くなる傾向にあり、メンテナンス（保守）費用が嵩むという課題があった。
【０００７】
また、商業施設等では、エスカレータは各階に設けられているため、施設全体で十数台程度又はそれ以上の台数が設置されている。このような施設の各エスカレータに、特許文献１記載の消毒装置を設置した場合、各エスカレータの利用者の数は同じではないため、各エスカレータに設置した消毒装置毎に、ローラの劣化や汚れ度合い、或は消毒液の減り具合等も異なることとなるが、これら各消毒装置の状況を消毒装置の外部からは把握することができないため、どの消毒装置に対しても一律にメンテナンス作業等を行わなければならず、これらの作業負担を減らすことが難しく、また、消毒装置毎の管理を適切に行うことができていないという課題があった。
【先行技術文献】
【特許文献】
【０００８】
【特許文献１】特開２０１１−１２１６６４号公報
【発明の概要】
【課題を解決するための手段及びその効果】
【０００９】
本発明は上記課題に鑑みなされたものであって、装置の情報を、管理センターで一元的に管理することができ、情報の共有性及びメンテナンス性を向上させることができる乗客コンベアの移動手摺消毒装置を提供することを目的としている。
【００１０】
上記目的を達成するために本発明に係る乗車コンベアの移動手摺消毒装置（１）は、乗客コンベアのステップと同期して周回移動する移動手摺を消毒するための移動手摺消毒装置であって、前記移動手摺の引き込み側又は送り出し側の少なくとも一方の手摺出入口の手前に設置される、前記移動手摺の表面の消毒を行う消毒手段と、予め定められた作動条件に基づいて、前記消毒手段による消毒動作を制御する制御手段と、当該消毒装置で得られた情報を外部の管理センターへ送信する通信手段とを備えていることを特徴としている。
【００１１】
上記乗車コンベアの移動手摺消毒装置（１）によれば、前記消毒手段が前記手摺出入口の手前に設置されるため、当該消毒装置のメンテナンス作業を容易に行うことができる。また、前記制御手段により、予め定められた作動条件に基づいて、前記消毒手段による消毒動作を適切に行うことが可能となる。また、前記通信手段により、当該消毒装置で得られた各種の情報を外部の管理センターへ送信することができるので、前記管理センターでは、例えば、施設内の各乗客コンベアに設置された複数の消毒装置の情報を一元的に管理することが可能となり、これら情報に基づき、消毒装置毎に適切なメンテナンスを行うことが可能となり、情報の共有性及びメンテナンス性を向上させることができる。
【００１２】
また本発明に係る乗車コンベアの移動手摺消毒装置（２）は、上記乗車コンベアの移動手摺消毒装置（１）において、前記移動手摺の表面の汚れを検出する汚れ検出手段を備え、前記制御手段が、前記汚れ検出手段により検出された汚れ状態に基づいて、前記消毒手段による消毒動作を行うタイミング及び時間を制御するとともに、前記通信手段を制御して、前記汚れ検出手段により検出された汚れ状態に関する情報を前記管理センターへ送信するものであることを特徴としている。
【００１３】
上記乗車コンベアの移動手摺消毒装置（２）によれば、前記汚れ検出手段により検出された汚れ状態に基づいて、前記消毒手段による消毒動作を行うタイミング及び時間が制御されるので、前記汚れ状態に基づいた適切な頻度で、前記移動手摺の消毒を行うことができ、必要以上の消毒処理が行われることを抑制でき、消毒液等のメンテナンス費用を抑えることができる。また、前記管理センターでは、各消毒装置の前記汚れ検出手段により検出された汚れ状態に関する情報を管理することができ、消毒装置毎に適切なタイミングで必要なメンテナンスを行うことが可能となる。
【００１４】
また本発明に係る乗車コンベアの移動手摺消毒装置（３）は、上記乗車コンベアの移動手摺消毒装置（１）において、前記乗車コンベアに乗車する人数を検出する乗車人数検出手段を備え、前記制御手段が、前記乗車人数検出手段により検出される累積乗車人数に基づいて、前記消毒手段による消毒動作を行うタイミング及び時間を制御するとともに、前記通信手段を制御して、前記乗車人数検出手段により検出される累積乗車人数に関する情報を前記管理センターへ送信するものであることを特徴としている。
【００１５】
上記乗車コンベアの移動手摺消毒装置（３）によれば、前記乗車人数検出手段により検出される累積乗車人数に基づいて、前記消毒手段による消毒動作を行うタイミング及び時間が制御されるので、前記累積乗車人数に基づいた適切な頻度で、前記移動手摺の消毒を行うことができ、必要以上の消毒処理が行われることを抑制でき、消毒液等のメンテナンス費用を抑えることができる。また、前記管理センターでは、各消毒装置の前記乗車人数検出手段により検出された前記累積乗車人数を管理することができ、消毒装置毎に適切なタイミングで必要なメンテナンスを行うことが可能となる。
【００１６】
また本発明に係る乗車コンベアの移動手摺消毒装置（４）は、上記乗車コンベアの移動手摺消毒装置（１）において、前記移動手摺に身体の一部が接触していることを検出する手摺接触検出手段を備え、前記制御手段が、前記手摺接触検出手段により検出される手摺接触検出状態に基づいて、前記消毒手段による消毒動作を行うタイミング及び時間を制御するとともに、前記通信手段を制御して、前記手摺接触検出手段により検出される手摺接触検出状態に関する情報を前記管理センターへ送信するものであることを特徴としている。
【００１７】
上記乗車コンベアの移動手摺消毒装置（４）によれば、前記手摺接触検出手段により検出される手摺接触検出状態に基づいて、前記消毒手段による消毒動作を行うタイミング及び時間が制御されるので、前記手摺接触検出状態、例えば、移動手摺に接触した累積人数等に基づいた適切な頻度で、左右に設けられた各移動手摺の消毒を個別に行うことができ、必要以上の消毒処理が行われることを抑制でき、消毒液等のメンテナンス費用を抑えることができる。また、前記管理センターでは、各消毒装置の前記手摺接触検出手段により検出された前記手摺接触検出状態を管理することができ、消毒装置毎に適切なタイミングで必要なメンテナンスを行うことが可能となる。
【００１８】
また本発明に係る乗車コンベアの移動手摺消毒装置（５）は、上記乗車コンベアの移動手摺消毒装置（１）において、前記移動手摺の表面に付着している所定のウイルスを検出するウイルス検出手段を備え、前記制御手段が、前記ウイルス検出手段により検出されるウイルス検出状態に基づいて、前記消毒手段による消毒動作を行うタイミング及び時間を制御するとともに、前記通信手段を制御して、前記ウイルス検出手段により検出される前記所定のウイルスの検出状態に関する情報を前記管理センターへ送信するものであることを特徴としている。
【００１９】
上記乗車コンベアの移動手摺消毒装置（５）によれば、前記ウイルス検出手段により検出されるウイルス検出状態に基づいて、前記消毒手段による消毒動作を行うタイミング及び時間が制御されるので、前記ウイルスの検出状態、例えば、インフルエンザウイルスやノロウイルス等を検出した場合など、公衆衛生上、消毒を行う必要性が高い場合に、タイミングよく、かつ十分な消毒を行うことができ、公衆衛生の向上を図ることができる。また、前記管理センターでは、各消毒装置の前記ウイルス検出手段により検出された前記ウイルス検出状態を管理することができ、消毒を行う必要性が高い乗車コンベアを把握することができ、適切な消毒液への交換等、消毒装置毎に適切なタイミングで必要なメンテナンスを行うことが可能となる。
【００２０】
また本発明に係る乗車コンベアの移動手摺消毒装置（６）は、上記乗車コンベアの移動手摺消毒装置（１）〜（５）のいずれかにおいて、前記消毒手段が、複数の塗布部材を個別に収納可能な収納手段と、該収納手段から取り出された塗布部材を保持するとともに、該保持された塗布部材に消毒液を供給する消毒液供給手段と、前記収納手段に収納されている前記塗布部材を前記消毒液供給手段に保持させる機能とともに、前記消毒液供給手段に保持されている前記塗布部材を前記収納手段に収納する機能を有する塗布部材交換手段とを備え、前記消毒液供給手段に保持された前記塗布部材を、前記移動手摺の表面に接触させて、消毒液を塗布するように構成されていることを特徴としている。
【００２１】
上記乗客コンベアの移動手摺消毒装置（６）によれば、前記消毒手段を構成する前記塗布部材交換手段により、前記収納手段に収納されている塗布部材（すなわち交換用の塗布部材）を、前記消毒液供給手段に保持させ（取り付け）、また、前記消毒液供給手段に保持されている（使用済みの）前記塗布部材を前記収納手段に収納することができる。すなわち、人手を介さずに前記塗布部材の交換を自動的に行うことができるので、前記塗布部材を交換するメンテナンスの頻度を少なくすることができ、メンテナンス性を向上させることができる。
【００２２】
また本発明に係る乗車コンベアの移動手摺消毒装置（７）は、上記乗車コンベアの移動手摺消毒装置（６）において、前記消毒手段を構成する前記消毒液供給手段が、第１の消毒液を貯留可能な第１の貯留部と、第２の消毒液を貯留可能な第２の貯留部とを有し、前記制御手段が、前記第１の貯留部に前記第１の消毒液を供給するタイミングと、前記第２の貯留部に前記第２の消毒液を供給するタイミングとを個別に制御するものであることを特徴としている。
【００２３】
前記乗客コンベアの移動手摺消毒装置（７）によれば、前記消毒液供給手段が、前記第１の貯留部と前記第２の貯留部とを有しているので、２種類の消毒液を、前記塗布部材に供給することができる。また、前記第１の貯留部に前記第１の消毒液を供給するタイミングと、前記第２の貯留部に前記第２の消毒液を供給するタイミングとが個別に制御されるので、当該消毒装置の状況に応じて、第１の消毒液と第２の消毒液とを適切に使い分けることができ、無駄の少ない適切な消毒処理を行うことができる。
【００２４】
また本発明に係る乗車コンベアの移動手摺消毒装置（８）は、上記乗車コンベアの移動手摺消毒装置（１）〜（６）のいずれかにおいて、前記消毒手段が、前記移動手摺の表面に接触させて回転させる塗布ローラと、該塗布ローラの表面に接触させて回転させながら、前記塗布ローラに第１の消毒液を供給する第１の含浸ローラと、前記塗布ローラの表面に接触させて回転させながら、前記塗布ローラに第２の消毒液を供給する第２の含浸ローラと、前記塗布ローラに接触させるローラを前記第１の含浸ローラ又は前記第２の含浸ローラに切り換える接触ローラ切換手段とを備え、前記制御手段が、予め定められた切換条件が成立した場合に、前記接触ローラ切換手段を制御して、前記塗布ローラに接触させるローラを前記第１の含浸ローラから前記第２の含浸ローラに、又は前記第２の含浸ローラから前記第１の含浸ローラに切り換える機能を有していることを特徴としている。
【００２５】
上記乗客コンベアの移動手摺消毒装置（８）によれば、予め定められた切換条件が成立した場合に、前記塗布ローラに接触させるローラを前記第１の含浸ローラから前記第２の含浸ローラに、又は前記第２の含浸ローラから前記第１の含浸ローラに切り換えることができ、当該消毒装置の状況等に応じて２種類の消毒液を適切に使い分けることが可能となり、状況に応じた無駄の少ない適切な消毒処理を行うことができる。
例えば、通常時は、前記塗布ローラに前記第１の含浸ローラを接触させて、第１の消毒液を前記第１の含浸ローラから前記塗布ローラに含浸させて、第１の消毒液で移動手摺の消毒を行い、前記切換条件が成立した場合に、前記塗布ローラに接触させるローラを前記第１の含浸ローラから前記第２の含浸ローラに切り換えて、第２の消毒液を前記第２の含浸ローラから前記塗布ローラに含浸させて、第２の消毒液で移動手摺の消毒を行うようにすることができる。
【００２６】
また本発明に係る乗車コンベアの移動手摺消毒装置（９）は、上記乗車コンベアの移動手摺消毒装置（８）において、前記塗布ローラの回転速度が、前記移動手摺の移動速度よりも遅くなるように、前記塗布ローラの回転速度を抑制する回転速度抑制手段を備えていることを特徴としている。
【００２７】
上記乗客コンベアの移動手摺消毒装置（９）によれば、前記回転速度抑制手段により、前記塗布ローラの回転速度を、前記移動手摺の移動速度よりも遅くなるように調整することができ、前記塗布ローラと前記移動手摺との間に回転摺動抵抗（スリップさせる状態）を生じさせることで、消毒液の塗布効率、及び汚れの拭き取り効率等を高めることができる。
【図面の簡単な説明】
【００２８】
【図１】本発明の実施の形態（１）に係る乗客コンベアの移動手摺消毒装置が取り付けられた乗客コンベアの要部を概略的に示した側面図である。
【図２】実施の形態（１）に係る乗客コンベアの移動手摺消毒装置の要部を概略的に示した側面図である。
【図３】（ａ）は、使用済みの塗布部材を最下段の保持枠に収納する動作を説明するための要部側面図であり、（ｂ）、（ｃ）は、下から２段目の塗布部材を消毒液供給部に装着する動作を説明するための要部側面図である。
【図４】図３（ａ）におけるIV−IV線から見た要部平面図である。
【図５】保持枠の分割機構を説明するための要部側面図である。
【図６】実施の形態（１）に係る乗車コンベアの移動手摺消毒装置における制御部の行う処理動作を示したフローチャートである。
【図７】実施の形態（２）に係る乗客コンベアの移動手摺消毒装置の要部を概略的に示した側面図である。
【図８】実施の形態（２）に係る乗車コンベアの移動手摺消毒装置における制御部の行う消毒処理動作を示したフローチャートである。
【図９】実施の形態（３）に係る乗客コンベアの移動手摺消毒装置の要部を概略的に示した側面図である。
【図１０】実施の形態（３）に係る乗客コンベアの移動手摺消毒装置の塗布ローラ付近の要部を概略的に示した正面図である。
【図１１】実施の形態（３）に係る乗車コンベアの移動手摺消毒装置における制御部の行う消毒処理動作を示したフローチャートである。
【発明を実施するための形態】
【００２９】
以下、本発明に係る乗客コンベアの移動手摺消毒装置の実施の形態を図面に基づいて説明する。図１は、実施の形態（１）に係る乗客コンベアの移動手摺消毒装置（以下、移動手摺消毒装置と記す）が取り付けられたエスカレータの要部を概略的に示した側面図である。
【００３０】
エスカレータ１は、エスカレータ全体を下方から支持する鉄骨製の基礎部（以下、トラスと言う）２を備え、トラス２内には、互いに連なった状態で上層階と下層階との間を移動する多数のステップ（図示せず）が配置されている。これらステップは、利用者がその上に乗る踏板面を有する部材である。また、トラス２内には、モータおよび減速機等を含む駆動ユニット（図示せず）、及び該駆動ユニットを含むエスカレータ全体の制御を行うエスカレータ制御部（図示せず）などが配設されている。
【００３１】
トラス２内に配置されたステップの両側には、金属板または樹脂板からなる欄干部３がそれぞれ立設されている。欄干部３の外周縁部にはガイドレール４が設けられており、このガイドレール４に沿って無端状の移動手摺５がステップの移動と同期して周回移動するように構成されている。利用者は移動手摺５を手で掴んだ状態でステップの上に立ってエスカレータ１に乗ることができる。
【００３２】
以下においては、エスカレータ１が上り運転されている場合、すなわち移動手摺５が矢印Ａ方向に移動している場合を想定して説明する。
移動手摺５は、トラス２の下層階側（手摺の送り出し側）のインレット部（送り出し口）６Ａからトラス２外へと出て、下層階乗り口において折り返して、欄干部３上縁部のガイドレール４に沿って矢印Ａ方向へ移動し、上層階降り口において再び折り返して、トラス２の上層階側（手摺の引き込み側）に形成されたインレット部（引き込み口）６Ｂからトラス２内に進入し、トラス２内を通って下層階乗り口のインレット部６Ａへと周回移動するようになっている。
【００３３】
下層階側の左右のインレット部６Ａの手前には、移動手摺消毒装置１０がそれぞれ設置されている。なお、移動手摺消毒装置１０は、上りのエスカレータの場合は、下層階側のインレット部６Ａの手前、一方下りのエスカレータの場合は、上層階側のインレット部６Ｂの手前に設置することが好ましいが、この設置形態に限定されるものではなく、上層階側及び下層階側の両側のインレット部６Ａ、６Ｂの手前に設けることもできる。
【００３４】
移動手摺消毒装置１０の設置方法は、特に限定されるものではなく、床面に取り付ける構成、インレット部６Ａの側面に取り付ける構成、又は装置上面側に強力クリップ等の狭持手段を設け、該狭持手段を利用して欄干部３にワンタッチで取り付け可能な構成などが採用され得る。
【００３５】
また、移動手摺消毒装置１０は、基地局１０１、インターネット通信網や電話通信網などの通信ネットワーク１０２を介して管理センター１００との間でデータのやり取りを行うことが可能となっている。外部の管理センター１００は、エスカレータ１が設置されている施設内の情報管理センター、又はエスカレータ１を施設外で管理する情報管理センターに対応するものであり、サーバ等を含むコンピュータシステムにより構成されている。
【００３６】
図２は、実施の形態（１）に係る移動手摺消毒装置の要部を概略的に示した側面図である。移動手摺消毒装置１０は、交換用の塗布部材１１が保持（収納）される複数の保持枠１２と、積層状態の保持枠１２を昇降させる昇降機構１３、及びこれら保持枠１２を所定の位置で分割する分割機構１４とを備えている。
【００３７】
また、移動手摺消毒装置１０は、架台２０と、架台２０を昇降移動させる昇降機構２１と、架台２０の上に配設されるスライド板２２と、スライド板２２を保持枠１２の方向に水平移動させるスライド機構２３と、スライド板２２の上に設置された消毒液供給部２４とを備え、消毒液供給部２４の上に塗布部材１１が装着される構成になっている。
【００３８】
昇降機構１３、分割機構１４、昇降機構２１、及びスライド機構２３の構成には、延伸機構を有する電磁式のアクチュエータ、モータ駆動式カム機構、又はウォームギアやラック＆ピニオンなどの歯車機構とモータとを組み合わせた各種の駆動機構が採用され得る。
【００３９】
消毒液供給部２４は、消毒液３０が貯留される貯留部２５を備え、貯留部２５には、ポンプ３１を介して消毒液タンク３２が接続され、消毒液３０が、消毒液タンク３２から所定のタイミング（例えば、貯留部２５内に設けられた液面レベルを検知するレベルセンサ（図示せず）によって、液面が所定のレベル以下になったと検出されたタイミング）で貯留部２５に供給されるようになっている。
【００４０】
また、消毒液供給部２４は、上面に凸状の孔部２６が形成され、孔部２６に、フェルト、スポンジ、又は吸液性の高い繊維等から形成された棒状の吸液部材２７が装着され、吸液部材２７を介して、貯留部２５の消毒液３０が塗布部材１１に供給（吸収）されるようになっている。なお、孔部２６及び吸液部材２７を２箇所以上に設ける構成とすることもできる。
【００４１】
消毒液３０には、例えば、エタノールなどの消毒・殺菌性能を有するアルコール製剤、所定濃度のヨウ素（例えば、ヨウ素１％程度）を含む溶液、所定濃度の（例えば、０．０５〜０．１％程度）塩化ベンザルコニウム溶液などの各種の消毒・殺菌溶液が適用される。
【００４２】
また、移動手摺消毒装置１０には、移動手摺５の表面に付着している汚れの状態を検出する汚れ検出部４０が装備されている。汚れ検出部４０は、外観検査を行うための画像センサや画像処理部などを含んで構成され、小さなゴミ（粉塵）などの異物や油分等が表面に付着している状態やその程度（付着範囲、付着数など）を、常時又は定期的にモニタする機能を有しており、汚れ等の検出信号を制御部６０に出力するようになっている。
【００４３】
さらに、移動手摺消毒装置１０には、外部の管理センター１００と通信するための通信部５０が装備されている。通信部５０には、図１に示した基地局１０１、インターネット通信網や電話通信網などの通信ネットワーク１０２を介して管理センター１００との間でデータのやり取りを行うことができる無線通信機能が装備されている。なお、通信部５０は、有線での通信機能を備えているもので構成することもできる。
【００４４】
また、移動手摺消毒装置１０には、上記した昇降機構１３、分割機構１４、昇降機構２１、スライド機構２３、ポンプ３１、汚れ検出部４０、及び通信部５０の動作制御やデータの送受信の制御等を行うための制御部６０が装備されている。制御部６０は、図示しないマイコン、入出力インターフェース、メモリ、タイマー回路、及び電源回路等を含んで構成されている。
【００４５】
次に、実施の形態（１）に係る移動手摺消毒装置１０が行う塗布部材１１の交換動作について説明する。図２に示した移動手摺消毒装置１０では、保持枠１２が４段で構成され、最下段の保持枠１２に保持されていた塗布部材１１が消毒液供給部２４に装着されている状態が示されている。
【００４６】
図３（ａ）は、使用済みの塗布部材１１を最下段の保持枠１２に収納する動作を説明するための要部側面図であり、（ｂ）、（ｃ）は、下から２段目の塗布部材１１を消毒液供給部２４に装着する動作を説明するための要部側面図である。
図４は、図３（ａ）におけるIV−IV線から見た要部平面図である。また、図５は、保持枠１２の分割機構１４を説明するための要部側面図である。
【００４７】
図４に示すように、保持枠１２は、平面視略コ字型に形成されており、略直方体形状をした塗布部材１１の底面３辺の周縁部を囲うように支持することが可能な形状（断面Ｌ字形状）となっている。また、保持枠１２の両側部には、分割用スライド板１５、１６に係合させて、保持枠１２の昇降及び分割を行うための分割用突起１２ａ、１２ｂが形成されている。なお、塗布部材１１は、その上面を略Ｕ字状に形成して、略Ｃ字状の断面形状をした移動手摺５の側面に接触させ得る構成とすることもできる。
【００４８】
昇降機構１３は、最下段の保持枠１２の下に配設された底板１３ａを昇降させる機能を備え、昇降機構１３により、複数の保持枠１２の全体を所定位置まで上昇させ、また下降させることが可能となっている。
分割機構１４を構成する分割用スライド板１５、１６は、装置筐体の側壁等にスライド可能に取り付けられており、モータ等の駆動力を利用してスライドする構成となっている。
【００４９】
図５に示すように、分割用スライド板１５、１６には、分割用突起１２ａ、１２ｂを係合させる傾斜部１５ａ、１６ａと、分割用突起１２ａ、１２ｂを誘導する誘導溝１５ｂ、１６ｂを含んで構成されている。誘導溝１５ｂ、１６ｂは、保持枠１２の分割間隔が一定に保たれるようにするためのものであり、スライド板２２及び消毒液供給部２４が進入できる空間を形成することができる所定の高さ位置に形成されている。
【００５０】
消毒液供給部２４に装着されている塗布部材１１を最下段の保持枠１２に収納する場合、まず、昇降機構１３と分割機構１４とを作動させて、最下段の保持枠１２と、下から２段目の保持枠１２との間に、所定の空間が形成されるように、保持枠１２の分割を行う。
すなわち、昇降機構１３を作動させて、最下段の保持枠１２と下から２段目の保持枠１２との間に、分割用スライド板１５、１６の傾斜部１５ａ、１６ａの下端部が位置するように、保持枠の全体を上昇させる（図５の（１）の状態）。
次に、分割用スライド板１５、１６の傾斜部１５ａ、１６ａの下端部が、最下段の保持枠１２と下から２段目の保持枠１２の間にある状態から、分割用スライド板１５、１６をスライド移動させる。
【００５１】
図５に示すように、最下段の保持枠１２の分割用突起１２ａ、１２ｂは、分割用スライド板１５、１６の底辺１５ｃ、１６ｃに沿って移動し、下から２段目の保持枠１２の分割用突起１２ａ、１２ｂは、分割用スライド板１５、１６の傾斜部１５ａ、１６ａに沿って上昇し（図５の（２）の状態）、その後、誘導路１５ｂ、１６ｂに導かれて、最下段の保持枠１２と下から２段目の保持枠１２とが一定の間隔で分割される（図５の（３）の状態）。
【００５２】
また、下から３段目の保持枠１２の分割用突起１２ａ、１２ｂは、分割用スライド板１５、１６の上辺１５ｄ、１６ｄに沿って移動する。なお、誘導路１５ｂ、１６ｂの途中の段差部によって、下から３段目の保持枠１２が、下から２段目の保持枠１２に収納されている塗布部材１１の上に直接載らないように構成されている。
【００５３】
保持枠１２の分割完了後、図３（ａ）に示すように、昇降機構２１を作動させて、分割された最下段の保持枠１２と下から２段目の保持枠１２との間に、塗布部材１１が位置するように、架台２０を降下させ、その後、スライド機構２３を作動させて、スライド板２２を、分割された空間内の所定位置（塗布部材１１を最下段の保持枠１２に載置できる位置）までスライド移動させる。
その後、昇降機構２１を作動させて、塗布部材１１が最下段の保持枠１２上に保持され、塗布部材１１が消毒液供給部２４から外れる位置まで架台２０を降下させてゆき、使用済み塗布部材１１を最下段の保持枠１２へ収納する作業を完了する。
【００５４】
その後、スライド機構２３を作動させて、スライド板２２をもとの位置までスライド移動させた後、再度、昇降機構２１を作動させて、図３（ｂ）に示すように、分割された最下段の保持枠１２と、下から２段目の保持枠１２との間に、スライド板２２及び消毒液供給部２４を進入させることができる位置まで架台２０を上昇させる。
その後、スライド機構２３を作動させて、スライド板２２を、分割された空間内の所定位置（消毒液供給部２４の吸液部材２７を、塗布部材１１底面の穴部１１ａに嵌め込み可能な位置）までスライド移動させる。
【００５５】
その後、昇降機構２１を作動させて、消毒液供給部２４の吸液部材２７が塗布部材１１の底面の穴部１１ａに嵌め込まれる位置まで架台２０を上昇させて、新しい塗布部材１１を消毒液供給部２４に装着させる。
装着後、スライド機構２３を作動させて、スライド板２２をもとの位置までスライドさせた後（図３（ｃ））、昇降機構２１を作動させて、架台２０を所定の消毒作業位置まで上昇させて、塗布部材１１の交換作業を終える。
【００５６】
図６は、実施の形態（１）に係る移動手摺消毒装置１０における制御部６０の行う処理動作を示したフローチャートである。
まず、ステップＳ１では、汚れ検出部４０から汚れ検出信号を入力し、次のステップＳ２では、移動手摺５の表面が所定の汚れ状態になったか否か（例えば、ごみなどの付着異物の検出数が前回の消毒動作後から所定数に達したか否か等）を判断し、所定の汚れ状態になった（例えば、付着異物の検出数が所定数に達した）と判断すればステップＳ３に進む。
【００５７】
ステップＳ３では、通信部５０を制御して、汚れ状態に関する情報（例えば、自己の装置の識別情報、前回の消毒動作後からの経過時間情報、及び付着異物の検出数を含む情報）を外部の管理センター１００へ送信する処理を行い、その後、ステップＳ４に進む。
ステップＳ４では、消毒液３０が含まれた塗布部材１１による移動手摺５の消毒処理を開始する。すなわち、昇降機構２１を作動させて、塗布部材１１を移動手摺５に接触させた（押圧）状態になるまで架台２１を上昇させる制御を行い、続くステップＳ５では、所定時間が経過したか否かを判断し、所定時間が経過したと判断すればステップＳ６に進む。
【００５８】
ステップＳ６では、昇降機構２１を作動させて、移動手摺５に接触させていた塗布部材１１が移動手摺５から離れる（非接触となる）所定位置まで架台２０を降下させて、塗布部材１１による移動手摺５の消毒処理を終える。なお、上記所定時間は、予め定められた一定時間、移動手摺５が所定回数周回するのに要する時間、又は、汚れの状態に応じて定められた時間などに設定されている。
次に、ステップＳ７に進み、現在使用している塗布部材１１による消毒作業の累計時間が、所定時間（例えば、数時間〜数十時間程度の所定の時間）に達したか否かを判断し、所定時間に達していないと判断すればステップＳ１２に進む一方、所定時間に達したと判断すればステップＳ８に進む。
【００５９】
ステップＳ８では、塗布部材１１の交換済カウント値ｎがｎ＝４であるか否かを判断し、ｎ＝４ではない、すなわち、未使用の塗布部材１１があると判断すれば、ステップＳ９に進む。ステップＳ９では、昇降機構１３、分割機構１４、昇降機構２１、及びスライド機構２３を制御して、塗布部材１１の自動交換作業を行い、続くステップＳ１０では、交換済カウント値ｎに１を加算して、ステップＳ１２に進む。
【００６０】
一方ステップＳ８において交換済カウント値ｎが４である、すなわち、未使用の塗布部材１１がないと判断すればステップＳ１１に進む。ステップＳ１１では、通信部５０を制御して、塗布部材１１の交換・補充時期になったことを通知する信号と自己の装置の識別情報等とを外部の管理センター１００へ送信する処理を行い、その後、ステップＳ１２に進む。なお、塗布部材１１の交換・補充が行われた場合には、交換済カウント値ｎが初期化される。また、これら保持枠１２と塗布部材１１とは、１つのカードリッジ（枠体）内に収容されて構成されており、カードリッジごと、簡易に交換することが可能な構成となっている。
【００６１】
次にステップＳ１２では、消毒液供給部２４の液面レベル低下の検出信号が検出されたか否かを判断し、液面レベル低下の検出信号が検出されたと判断すれば、ステップＳ１３に進み、ポンプ３１を所定時間作動させて、消毒液タンク３２から消毒液３０を所定量供給する処理を行う。
次のステップＳ１４では、消毒液タンク３２の交換後からの消毒液３０の供給処理回数が所定回数に達したか否かを判断し、所定回数に達していないと判断すれば処理を終える一方、所定回数に達した（すなわち、消毒液タンク３２の交換・補充時期になった）と判断すれば、ステップＳ１５に進む。ステップＳ１５では、消毒液タンク３２の交換・補充時期になったことを通知する信号と自己の装置の識別情報等を、通信部５０を制御して、外部の管理センター１００へ送信する処理を行う。なお、消毒液タンク３２の交換・補充が行われた場合には、供給処理回数のカウント値が初期化される。
【００６２】
一方、ステップＳ２において、所定の汚れ状態になっていないと判断すればステップＳ１６に進み、前回の消毒動作から所定時間が経過したか否かを判断し、所定時間が経過していないと判断すれば処理を終える一方、所定時間が経過したと判断すれば、ステップＳ４に進み、上記と同様の処理を行う。
【００６３】
上記実施の形態（１）に係る移動手摺消毒装置１０によれば、インレット部６Ａの手前に設置されるため、当該消毒装置のメンテナンス作業を容易に行うことができる。また、汚れ検出部４０により検出された汚れ状態に基づいて、消毒動作を行うタイミング及び時間が制御されるので、汚れ状態に基づいた適切な頻度で、移動手摺５の消毒を行うことができ、必要以上の消毒処理が行われることを抑制でき、消毒液等のメンテナンス費用を抑えることができる。
【００６４】
また、通信部５０が設けられているので、当該消毒装置で得られた各種の情報（汚れ検出部４０により検出された汚れ状態に関する情報、塗布部材１１の交換・補充時期、消毒液タンク３２の交換・補充時期等）を管理センター１００へ送信することができ、管理センター１００では、例えば、施設内の各エスカレータ１に設置された複数の移動手摺消毒装置１０の情報を一元的に管理することが可能となり、これら情報に基づき、移動手摺消毒装置１０毎に適切なタイミングで必要なメンテナンスを行うことが可能となり、情報の共有性及びメンテナンス性を向上させることができる。
【００６５】
また、移動手摺消毒装置１０によれば、昇降機構１３、分割機構１４、昇降機構２１、及びスライド機構２３等から構成される塗布部材交換手段により、保持枠１１に収納されている塗布部材１１（交換用の塗布部材）を、消毒液供給部２４に保持させ、また、消毒液供給部２４に保持されている（使用済みの）塗布部材１１を保持枠１１に収納することができる。すなわち、人手を介さずに塗布部材１１の交換を自動的に行うことができるので、塗布部材１１を交換するメンテナンスの頻度を少なくすることができ、メンテナンス性を向上させることができる。
【００６６】
図７は、実施の形態（２）に係る移動手摺消毒装置の要部を概略的に示した側面図である。但し、図２に示した移動手摺消毒装置１０と同一機能を有する構成部品については、同一符号を付し、ここでは、その説明を省略することとする。
【００６７】
実施の形態（１）に係る移動手摺消毒装置１０では、１種類の消毒液を使用する構成となっているが、実施の形態（２）に係る移動手摺消毒装置１０Ａでは、２種類の消毒液３０Ａ、３０Ｂを使用する構成となっている。また、実施の形態（２）に係る移動手摺消毒装置１０Ａでは、汚れ検出部４０の他にウイルス検出部４１が設けられ、また、エスカレータ１に乗車する人を検出する人感センサ７０からの検出信号等が入力される構成となっている。
【００６８】
以下、実施の形態（１）に係る移動手摺消毒装置１０と相違する構成について説明する。消毒液供給部２４Ａは、第１の消毒液３０Ａが貯留される第１貯留部２５Ａと、第１貯留部２５Ａの上に設けられた、第２の消毒液３０Ｂが貯留される第２貯留部２５Ｂとを備えている。第１貯留部２５Ａは、第１ポンプ３１Ａを介して第１の消毒液タンク３２Ａに接続され、第１の消毒液タンク３２Ａからの消毒液が、所定のタイミング、例えば、第１の貯留部２５Ａ内に液面レベルを検知するレベルセンサを設け、液面が所定のレベル以下となると、自動で供給されるようになっている。
【００６９】
第２貯留部２５Ｂ内には、フェルトやスポンジなどの吸液性部材２８が配設され、吸液性部材２８の上面が、塗布部材１１と直に接するように構成され、毛細管現象により、第２貯留部２５Ｂ内の消毒液が、吸液性部材２８から塗布部材１１に供給される（吸い上げられる）ようになっている。また、第２貯留部２５Ｂは、第２ポンプ３１Ｂを介して第２の消毒液タンク３２Ｂに接続され、第２の消毒液タンク３２Ｂからの第２の消毒液３０Ｂが、所定のタイミング、後述するウイルス検出部４１において、所定のウイルスが検出された場合に一定量供給されるようになっている。
【００７０】
第１の消毒液タンク３２Ａと第２の消毒液タンク３２Ｂとには、異なる種類の消毒液が充填されており、第１の消毒液３０Ａには、第２の消毒液３０Ｂよりも汚れを除去する効果の高い消毒液（洗浄液）が使用され、第２の消毒液３０Ｂには、第１の消毒液３０Ａよりも、ウイルス等の殺菌性能に優れた消毒液が使用されるようになっている。例えば、第２の消毒液３０Ｂには、高濃度（７０〜８０％程度）エタノールなどの消毒・殺菌性能が高いアルコール製剤、所定濃度（例えば、０．０５〜０．２％程度）のヨウ素を含む溶液、所定濃度（例えば０．０１〜０．２％程度）の次亜塩素酸ナトリウム溶液、所定濃度の（例えば、０．０５〜０．１％程度）塩化ベンザルコニウム溶液が使用される。
【００７１】
ウイルス検出部４１は、移動手摺５に付着している所定のウイルス（例えば、インフルエンザウイルスやノロウイルス等）を検出する機能を有している。ウイルス検出部４１によるウイルスの検出方法は如何なる方法であってもよく、例えば、インフルエンザウイルス等の抗原検出試薬を用いたイムノクロマト法などの検出法が採用され、検出処理（検体採取、検体液抽出、反応処理、及び判定処理等）を自動的に実行するように構成されている。そして、ウイルス検出部４１で検出されたウイルス検知信号が、制御部６０Ａに出力されるようになっている。
【００７２】
人感センサ７０は、エスカレータ１の乗り口付近等に設置され、エスカレータに乗る人を検知するものであり、赤外線センサや画像センサなどを含んで構成され、人感センサ７０で検出された信号が、制御部６０Ａに出力されるようになっている。また、人感センサ７を複数装備して、エスカレータ１のステップの右側、又は左側に位置することを検出する構成とすることもできる。
【００７３】
また、制御部６０Ａは、昇降機構１３、分割機構１４、昇降機構２１、スライド機構２３、第１のポンプ３１Ａ、第２のポンプ３１Ｂ、汚れ検出部４０、ウイルス検出部４１、及び通信部５０等の各部の動作制御やデータの送受信の制御等を行うものであり、図示しないマイコン、入出力インターフェース、メモリ、タイマー回路、及び電源回路等を含んで構成されている。
【００７４】
なお、実施の形態（２）に係る移動手摺消毒装置１０Ａが行う塗布部材１１の交換動作については、実施の形態（１）に係る移動手摺消毒装置１０が行う塗布部材１１の交換動作と同様であるので、ここではその説明を省略する。
【００７５】
図８は、実施の形態（２）に係る移動手摺消毒装置１０Ａにおける制御部６０Ａの行う消毒処理動作を示したフローチャートである。
まず、ステップＳ２１では、汚れ検出部４０から汚れ検出信号を入力し、次のステップＳ２２では、移動手摺５の表面が所定の汚れ状態になったか否か（例えば、ごみなどの付着異物の検出数が前回の消毒動作後から所定数に達したか否か等）を判断し、所定の汚れ状態になった（例えば、付着異物の検出数が所定数に達した）と判断すればステップＳ２３に進む。
【００７６】
ステップＳ２３では、通信部５０を制御して、汚れ状態に関する情報（例えば、自己の装置の識別情報、前回の消毒動作後からの経過時間情報、及び付着異物の検出数を含む情報）を外部の管理センター１００へ送信する処理を行い、その後、ステップＳ２４に進む。
【００７７】
ステップＳ２４では、第１の消毒液３０Ａを含ませた塗布部材１１による移動手摺５の消毒（洗浄）処理を開始する。すなわち、昇降機構２１を作動させて、塗布部材１１を移動手摺５に接触させた（押圧）状態になるまで架台２０を上昇させる制御を行い、続くステップＳ２５では、所定の時間が経過したか否かを判断し、所定の時間が経過したと判断すれば、ステップＳ２６に進む。
ステップＳ２６では、昇降機構２１を作動させて、移動手摺５に接触させていた塗布部材１１が移動手摺５から離れる（非接触となる）所定位置まで架台２０を降下させて、塗布部材１１による移動手摺５の消毒処理を終える。なお、上記所定の時間は、予め定められた一定時間、移動手摺５が所定回数周回するのに要する時間、又は、汚れの状態に応じて定められた時間などに設定されている。
【００７８】
一方ステップＳ２２において、所定の汚れ状態になっていないと判断すれば、ステップＳ２７に進む。ステップＳ２７では、ウイルス検出部４１からウイルス検出信号を入力したか否かを判断し、ウイルス検出信号を入力したと判断すれば、ステップＳ２８に進む。
ステップＳ２８では、通信部５０を制御して、ウイルス検出に関する情報（例えば、自己の装置の識別情報、及び検出されたウイルスの情報等）を外部の管理センター１００へ送信する処理を行い、その後、ステップＳ２９に進む。
【００７９】
ステップＳ２９では、第２のポンプ３１Ｂを制御して、第２の消毒液タンク３２Ｂから第２の消毒液３０Ｂを第２の貯留部２５Ｂに所定量供給する処理を行い、次のステップＳ３０では、第２の消毒液３０Ｂを含ませた塗布部材１１による移動手摺４の消毒処理を開始する。すなわち、昇降機構２１を作動させて、塗布部材１１を移動手摺５に接触させた（押圧）状態になるまで架台２０を上昇させる制御を行い、続くステップＳ３１では、所定の時間が経過したか否かを判断し、所定の時間が経過したと判断すればステップＳ３２に進む。
【００８０】
ステップＳ３２では、昇降機構２１を作動させて、移動手摺５に接触させていた塗布部材１１が移動手摺から離れる（非接触となる）所定位置まで架台２０を降下させて、第２の消毒液３０Ｂを含ませた塗布部材１１による移動手摺５の消毒処理を終える。なお、上記所定の時間は、第２の貯留部２５Ｂに供給された第２の消毒液３０Ｂが略消費されるのに要する時間などに設定されている。
【００８１】
一方ステップＳ２７において、ウイルス検出部４１からウイルス検出信号を入力していないと判断すればステップＳ３３に進む。ステップＳ３３では、人感センサ７０から入力した検知信号に基づいて、前回の消毒動作完了後からの乗車人数が、所定人数に達したか否かを判断し、所定人数に達したと判断すればステップＳ３４に進む。
ステップＳ３４では、通信部５０を制御して、乗車人数に関する情報（例えば、自己の装置の識別情報、前回の消毒動作後からの経過時間、及び検出された乗車人数の情報）を外部の管理センター１００へ送信する処理を行い、その後、ステップＳ２４、Ｓ２５、Ｓ２６の処理、すなわち第１の消毒液３０Ａを含ませた塗布部材１１による移動手摺５の消毒処理を行う。
【００８２】
一方、ステップＳ３３において、所定人数に達していないと判断すれば、ステップＳ３５に進む。ステップＳ３５では、前回の消毒動作から所定時間（例えば、数時間）が経過したか否かを判断し、所定時間が経過していないと判断すれば処理を終える一方、所定時間が経過したと判断すれば、ステップＳ２４、Ｓ２５、Ｓ２６の処理、すなわち第１の消毒液３０Ａが含まれた塗布部材１１による移動手摺５の消毒処理を行う。
【００８３】
なお、上記消毒処理動作の後、塗布部材１１の交換制御（図６に示したステップＳ７〜Ｓ１１と同様の処理）、及び第１の消毒液タンク３２Ａ、第２の消毒液タンク３２Ｂへの消毒液補充・交換処理（図６に示したステップＳ１２〜Ｓ１５と同様の処理）動作を行うようになっている。
【００８４】
上記実施の形態（２）に係る移動手摺消毒装置１０Ａによれば、消毒液供給部２４Ａが、第１の貯留部２５Ａと第２の貯留部２５Ｂとを有しているので、２種類の消毒液を、塗布部材１１に供給することができる。また、汚れ検出部４０による汚れ検出状態、人感センサ７０により検出された乗車人数、又はウイルス検出部４１により検出されるウイルス検出状態に基づいて、第１の貯留部２５Ａに第１の消毒液３０Ａを供給するタイミングと、第２の貯留部２５Ｂに第２の消毒液３０Ｂを供給するタイミングとが、個別に制御されるので、当該消毒装置の状況に応じて、第１の消毒液３０Ａと第２の消毒液３０Ｂとを適切に使い分けることができ、無駄の少ない適切な消毒及び洗浄処理を行うことができる。
【００８５】
また、ウイルス検出部４１によりウイルスが検出された場合には、消毒・殺菌効果の高い第２の消毒液３０Ｂで移動手摺５の表面を消毒することができ、例えば、インフルエンザウイルスやノロウイルス等を検出した場合など、公衆衛生上、消毒を行う必要性が高い場合に、タイミングよく、かつ十分な消毒を行うことができ、公衆衛生の向上を図ることができる。
【００８６】
また、管理センター１００では、各消毒装置１０Ａのウイルス検出部４１により検出されたウイルス検出状態を管理することができ、消毒を行う必要性が高いエスカレータを把握することができ、適切な消毒液への交換等、消毒装置毎に適切なタイミングで必要なメンテナンスを行うことが可能となる。
【００８７】
また、人感センサ７０により検出される乗車人数に基づいて、消毒動作を行うタイミング及び時間が制御されるので、累積乗車人数に基づいた適切な頻度で、移動手摺５の消毒を行うことができ、必要以上の消毒処理が行われることを抑制でき、消毒液等のメンテナンス費用を抑えることができる。
【００８８】
また、管理センター１００では、各消毒装置の人感センサ７０により検出された累積乗車人数を管理することができ、消毒装置毎に適切なタイミングで必要なメンテナンスを行うことが可能となる。
【００８９】
図９は、実施の形態（３）に係る移動手摺消毒装置の要部を概略的に示した側面図である。図１０は、実施の形態（３）に係る移動手摺消毒装置の塗布ローラ付近の要部を概略的に示した正面図である。但し、図７に示した移動手摺消毒装置１０Ａと同一機能を有する構成部品については、同一符号を付し、ここでは、その説明を省略することとする。
【００９０】
移動手摺消毒装置１０Ｂは、略Ｃ字状の断面形状を有する移動手摺５の表面に接触させて、移動手摺５の移動とともに回転させる塗布ローラ１７と、塗布ローラ１７の表面に接触させて回転させながら、塗布ローラ１７に第１の消毒液３０Ａを供給する第１の含浸ローラ１８と、塗布ローラ１７の表面に接触させて回転させながら、塗布ローラ１７に第２の消毒液３０Ｂを供給する第２の含浸ローラ１９とを備えている。本実施の形態では、第１の含浸ローラ１８と第２の含浸ローラ１９とが、塗布ローラ１７と連れ回り方向に回転するように設けられているが、モータ等の駆動力を利用して逆方向に回転するように設けることも可能である。
【００９１】
図１０に示すように、塗布ローラ１７は、昇降移動する架台２０Ａに立設された側壁２０ｃに、軸受部２０ｄを介して回転可能に軸支されている。塗布ローラ１７の表面は、移動手摺５の表面と接触するように略Ｕ字状に形成されており、略Ｃ字状の断面形状をした移動手摺５の側面にも接触させ得る構成となっている。
【００９２】
架台２０Ａ上には、第１のスライド板２２Ａがスライド移動可能に配設され、第１のスライド板２２Ａ上には、第１の消毒液槽３３が配設され、第１の消毒液槽３３の両側には、側壁２２ｃが第１のスライド板２２Ａ上に立設されている。
第１の含浸ローラ１８は、側壁２２ｃに、軸受部２２ｄを介して回転可能に軸支され、また、その一部が、第１の消毒液槽３３の第１の消毒液３０Ａ中に浸漬されるようになっている。
【００９３】
また、架台２０Ａ上には、第２のスライド板２２Ｂがスライド移動可能に配設され、第２のスライド板２２Ｂ上には、第２の消毒液槽３４が配設され、第２の消毒液槽３４の両側には、側壁（図示せず）が第２のスライド板２２Ｂ上に立設されている。
第２の含浸ローラ１８は、前記側壁に、軸受部（図示せず）を介して回転可能に軸支され、その一部が、第２の消毒液槽３４の第２の消毒液３０Ｂ中に浸漬されるようになっている。
【００９４】
また、移動手摺消毒装置１０Ｂには、架台２０Ａを昇降移動させる昇降機構２１Ａ、第１のスライド板２２Ａ及び第２のスライド板２２Ｂを、塗布ローラ１７の回転軸１７ａと直交する方向に対して個別にスライド移動させるスライド機構２３Ａが装備されている。昇降機構２１Ａやスライド機構２３Ａの構成には、延伸機構を有する電磁式のアクチュエータ、モータ駆動式カム機構、又はウォームギアやラック＆ピニオンなどの歯車機構とモータとを組み合わせた各種の駆動機構が採用され得る。
【００９５】
第１のスライド板２２Ａ、第２のスライド板２２Ｂ、及びスライド機構２３Ａにより、塗布ローラ１７に接触させるローラを第１の含浸ローラ１８又は第２の含浸ローラ１９に切り換える接触ローラ切換機構が構成されている。
また、塗布ローラ１７の軸受部２０ｄ、第１の含浸ローラ１８の軸受部２２ｄ及び第２の含浸ローラ１９の軸受部（図示せず）は、各ローラ回転軸の回転動作に回転摺動抵抗が付与されるように構成されている。この回転摺動抵抗により、塗布ローラ１７の回転速度が、移動手摺５の移動速度よりも遅くなるように調整され、塗布ローラ１７と移動手摺５との間に回転摺動抵抗が作用することで、消毒液の塗布効率、及び汚れの拭取り効率等が高められるようになっている。
【００９６】
第１の消毒液槽３３には、第１ポンプ３１Ａを介して第１の消毒液タンク３２Ａが接続され、第１の消毒液３０Ａが、第１の消毒液タンク３２Ａから所定のタイミング（例えば、第１の消毒液槽３３内に設けられた液面レベルを検知するレベルセンサ（図示せず）によって、液面が所定のレベル以下になったと検出されたタイミング）で第１の消毒液槽３３に供給されるようになっている。
【００９７】
第２の消毒液槽３４には、第２ポンプ３１Ｂを介して第２の消毒液タンク３２Ｂが接続され、第２の消毒液３０Ｂが、第２の消毒液タンク３２Ｂから所定のタイミング（例えば、第２の消毒液槽３４内に設けられた液面レベルを検知するレベルセンサ（図示せず）によって、液面が所定のレベル以下になったと検出されたタイミング）で第２の消毒液槽３４に供給されるようになっている。
【００９８】
第１の消毒液タンク３２Ａと第２の消毒液タンク３２Ｂとには、異なる種類の消毒液が充填されており、第１の消毒液３０Ａには、第２の消毒液３０Ｂよりも汚れを除去する効果の高い消毒液（洗浄液）が使用され、第２の消毒液３０Ｂには、第１の消毒液３０Ａよりも、ウイルス等の殺菌性能に優れた消毒液が使用される。
【００９９】
第２の消毒液３０Ｂには、例えば、高濃度（７０〜８０％程度）エタノールなどの消毒・殺菌性能が高いアルコール製剤、所定濃度（例えば、０．０５〜０．２％程度）のヨウ素を含む溶液、所定濃度（例えば０．０１〜０．２％程度）の次亜塩素酸ナトリウム溶液、所定濃度の（例えば、０．０５〜０．１％程度）塩化ベンザルコニウム溶液が使用される。
【０１００】
手摺センサ７１は、乗客が移動手摺５に掴まっていることを検知するためのセンサである。手摺センサ７１は、エスカレータ１の乗り口付近、又は乗り口から数ステップ先付近の左右の移動手摺５の上方や建物の側壁等にそれぞれ設置され、所定の検知エリア内で、移動手摺５の上に物体があることを検知することで、乗客が移動手摺５に掴まっていることを、左右の移動手摺５ごとに検知するものである。手摺センサ７１は、画像センサ、画像処理部などを含んで構成され、手摺センサ７１で検出された信号が、制御部６０Ｂに出力されるようになっている。
【０１０１】
また、制御部６０Ｂは、昇降機構２１Ａ、スライド機構２３Ａ、第１のポンプ３１Ａ、第２のポンプ３１Ｂ、汚れ検出部４０、ウイルス検出部４１、及び通信部５０等の各部の動作制御やデータの送受信の制御を行うものであり、図示しないマイコン、入出力インターフェース、メモリ、タイマー回路、及び電源回路等を含んで構成されている。
【０１０２】
制御部６０Ｂは、ウイルス検出部４１でウイルスが検出された場合（第１の切換条件）に、塗布ローラ１７に接触させるローラを第１の含浸ローラ１８から第２の含浸ローラ１９に切り換え、汚れ検出部４０で検出された汚れ状態が所定の汚れ状態になった場合（第２の切換条件）に、塗布ローラ１７に接触させるローラを第２の含浸ローラ１９から第１の含浸ローラ１８に切り換える制御機能を有している。
【０１０３】
図１１は、実施の形態（３）に係る移動手摺消毒装置１０Ｂにおける制御部６０Ｂの行う消毒処理動作を示したフローチャートである。
まず、ステップＳ４１では、汚れ検出部４０から汚れ検出信号を入力し、次のステップＳ４２では、移動手摺５の表面が所定の汚れ状態になったか否か（例えば、ごみなどの付着異物の検出数が前回の消毒動作後から所定数に達したか否か等）を判断し、所定の汚れ状態になった（例えば、付着異物の検出数が所定数に達した）と判断すればステップＳ４３に進む。
【０１０４】
ステップＳ４３では、通信部５０を制御して、汚れ状態に関する情報（例えば、自己の装置の識別情報、前回の消毒動作後からの経過時間情報、及び付着異物の検出数を含む情報）を外部の管理センター１００へ送信する処理を行い、その後ステップＳ４４に進む。
ステップＳ４４では、第１の消毒液３０Ａを含む第１の含浸ローラ１８と塗布ローラ１７とによる移動手摺５の消毒（洗浄）処理を開始する。すなわち、スライド機構２３Ａを作動させて、第１の含浸ローラ１８が塗布ローラ１７と接触するように、第１のスライド板２２Ａをスライドさせる一方、第２の含浸ローラ１９が塗布ローラ１７と接触しないように、第２のスライド板２２Ｂをスライドさせる。
【０１０５】
その後、昇降機構２１Ａを作動させて、塗布ローラ１７が移動手摺５に接触する（押圧）状態になるまで架台２０Ａを上昇させて、消毒（洗浄）処理を開始する。
続くステップＳ４５では、所定時間が経過したか否かを判断し、所定の時間が経過したと判断すれば、ステップＳ４６に進む。ステップＳ４６では、昇降機構２１Ａを作動させて、移動手摺５に接触させていた塗布ローラ１７が移動手摺５から離れる（非接触となる）所定位置まで架台２０Ａを降下させて、塗布ローラ１７による移動手摺５の消毒処理を終える。なお、上記所定時間は、予め定められた一定時間、移動手摺５が所定回数周回するのに要する時間、又は、汚れの状態に応じて定められた時間などに設定されている。
【０１０６】
一方ステップＳ４２において、所定の汚れ状態になっていないと判断すればステップＳ４７に進む。ステップＳ４７では、ウイルス検出部４１からウイルス検出信号を入力したか否かを判断し、ウイルス検出信号を入力したと判断すればステップＳ４８に進む。
ステップＳ４８では、通信部５０を制御して、ウイルス検出に関する情報（例えば、自己の装置の識別情報、及び検出されたウイルスの情報等）を管理センター１００へ送信する処理を行い、その後、ステップＳ４９に進む。
【０１０７】
ステップＳ４９では、第２の消毒液３０Ｂを含む第２の含浸ローラ１９と塗布ローラ１７とによる移動手摺５の消毒処理を開始する。すなわち、スライド機構２３Ａを作動させて、第２の含浸ローラ１９が塗布ローラ１７と接触するように、第２のスライド板２２Ｂをスライドさせる一方、第１の含浸ローラ１８が塗布ローラ１７に接触しないように、第１のスライド板２２Ａをスライドさせる。その後、昇降機構２１Ａを作動させて、塗布ローラ１７が移動手摺５に接触する（押圧）状態になるまで架台２０Ａを上昇させて、消毒処理を開始する。
【０１０８】
次のステップＳ５０では、所定時間が経過したか否かを判断し、所定時間が経過したと判断すればステップＳ５１に進む。ステップＳ５１では、昇降機構２１Ａを作動させて、移動手摺５に接触させていた塗布ローラ１７が移動手摺５から離れる（非接触となる）所定位置まで架台２０Ａを降下させて、第２の消毒液３０Ｂを含ませた塗布ローラ１７による移動手摺の消毒処理を終える。
【０１０９】
一方ステップＳ４７において、ウイルス検出部４１からウイルス検出信号を入力していないと判断すれば、ステップＳ５２に進む。ステップＳ５２では、手摺センサ７１から入力した検知信号に基づいて、前回の消毒動作完了後からの移動手摺５に触れた人数が、所定人数に達したか否かを判断し、所定人数に達したと判断すればステップＳ５３に進む。
【０１１０】
ステップＳ５３では、通信部５０を制御して、手摺接触人数に関する情報（例えば、自己の装置の識別情報、前回の消毒動作後からの経過時間、及び検出された手摺接触人数の情報等）を管理センター１００へ送信する処理を行い、その後、ステップＳ４４、Ｓ４５、Ｓ４６の処理、すなわち第１の消毒液３０Ａを含ませた塗布ローラ１７による移動手摺５の消毒処理を行う。
【０１１１】
一方、ステップＳ５２において、所定人数に達していないと判断すればステップＳ５４に進む。ステップＳ５４では、前回の消毒動作から所定時間（例えば、数時間）が経過したか否かを判断し、所定時間が経過していないと判断すれば処理を終える一方、所定時間が経過したと判断すれば、ステップＳ４４、Ｓ４５、Ｓ４６の処理、すなわち第１の消毒液３０Ａを含ませた塗布ローラ１７による移動手摺５の消毒処理を行う。
なお、上記消毒処理動作の後、第１の消毒液タンク３２Ａ、第２の消毒液タンク３２Ｂへの消毒液の補充・交換処理動作が行われるようになっている。
【０１１２】
上記実施の形態（３）に係る移動手摺消毒装置１０Ｂによれば、ウイルス検出部４１によりウイルスが検出された場合に、塗布ローラ１７に接触させるローラを第１の含浸ローラ１８から第２の含浸ローラ１９に切り換えることができ、消毒効果の高い第２の消毒液３０Ｂで移動手摺５の表面を適切に消毒することができ、当該消毒装置の状況等に応じて２種類の消毒液を適切に使い分けることが可能となり、状況に応じた無駄の少ない適切な消毒処理を行うことができる。
【０１１３】
また、塗布ローラ１７の軸受部２０ｄ、第１の含浸ローラ１８の軸受部２２ｄ及び第２の含浸ローラ１９の軸受部（図示せず）が、各ローラ回転軸の回転動作に回転摺動抵抗が付与されるように構成されているので、塗布ローラ１７の回転速度を、移動手摺５の移動速度よりも遅くなるように調整することができ、塗布ローラ１７と移動手摺５との間に回転摺動抵抗（スリップさせる状態）を生じさせることで、消毒液の塗布効率、及び汚れの拭き取り効率等を高めることができる。
【０１１４】
また、手摺センサ７１により検出される手摺接触人数に基づいて、第１の含浸ローラ１８を塗布ローラ１７に接触させて、第１の消毒液３０Ａによる消毒動作を行うタイミング及び時間が制御されるので、移動手摺５に接触した累積人数等に基づいた適切な頻度で、左右に設けられた各移動手摺５の消毒を個別に行うことができ、必要以上の消毒（洗浄）処理が行われることを抑制でき、消毒液等のメンテナンス費用を抑えることができる。
また、通信部５０から管理センター１００に情報を送信することで、各消毒装置の手摺センサ７１により検出された手摺接触検出状態を管理することができ、消毒装置毎に適切なタイミングで必要なメンテナンスを行うことが可能となる。
【０１１５】
なお、上記移動手摺消毒装置１０Ｂでは、汚れ検出部４０とウイルス検出部４１とを設けているが、別の実施の形態では、ウイルス検出部４１を設ける一方、汚れ検出部４０を設けない構成とし、ウイルス検出部４１で所定のウイルスが検出された場合のみ、塗布ローラ１７に接触させるローラを第１の含浸ローラ１８から第２の含浸ローラ１９に切り換えて、第２の消毒液３０Ｂによる所定時間の消毒動作を行い、それ以外の通常時には、第１の含浸ローラ１８を塗布ローラ１７に接触させて、第１の消毒液３０Ａを含ませた塗布ローラ１７による移動手摺５の消毒（洗浄）処理を常時継続して行う構成とすることもできる。
【０１１６】
また、更に別の実施の形態では、汚れ検出部４０とウイルス検出部４１とは設けずに、
手摺センサ７１からの検出信号に基づいて、塗布ローラ１７に接触させるローラの切換を行うように構成することもできる。例えば、手摺接触人数が所定人数になった場合に、塗布ローラ１７に第１の含浸ローラ１８を接触させて、第１の消毒液３０Ａによる消毒（洗浄）を行う一方、所定時間が経過した場合に、塗布ローラ１７に第２の含浸ローラ１９を接触させて、定期的に第２の消毒液３０Ａによる消毒を行うように構成することもできる。また、手摺センサ７１に代えて、人感センサ７０を利用することもできる。
【０１１７】
また、上記実施の形態（１）〜（３）の移動手摺消毒装置１０、１０Ａ、１０Ｂの別の実施の形態では、移動手摺５の表面に温風を吹き付ける等により、塗布された消毒液の乾燥を促進させる乾燥部を設けたり、また、移動手摺５の表面に余分に付着した消毒液を拭き取る払拭部材を設置する構成とすることもできる。
また、移動手摺消毒装置１０、１０Ａ、１０Ｂは、乗客を水平方向または少し傾斜した方向に移動させる、所謂動く歩道などの他の乗客コンベアにも適用することができる。
【符号の説明】
【０１１８】
１  エスカレータ
５  移動手摺
１０、１０Ａ、１０Ｂ  移動手摺消毒装置
１１  塗布部材
１２  保持枠
１３  昇降機構
１４  分割機構
２０  架台
２１  昇降機構
２２  スライド板
２３  スライド機構
２４  消毒液供給部
３０  消毒液
３１  ポンプ
３２  消毒液タンク
４０  汚れ検出部
４１  ウイルス検出部
５０  通信部
６０、６０Ａ、６０Ｂ  制御部
【図１】
2014129175.tif 000003
【図２】
2014129175.tif 000004
【図３】
2014129175.tif 000005
【図４】
2014129175.tif 000006
【図５】
2014129175.tif 000007
【図６】
2014129175.tif 000008
【図７】
2014129175.tif 000009
【図８】
2014129175.tif 000010
【図９】
2014129175.tif 000011
【図１０】
2014129175.tif 000012
【図１１】
2014129175.tif 000013
【手続補正書】
【提出日】平成25年7月10日(2013.7.10)
【手続補正１】
【補正対象書類名】明細書
【補正対象項目名】００１０
【補正方法】変更
【補正の内容】
【００１０】
上記目的を達成するために本発明に係る乗車コンベアの移動手摺消毒装置（１）は、乗客コンベアのステップと同期して周回移動する移動手摺を消毒するための移動手摺消毒装置であって、前記移動手摺の引き込み側又は送り出し側の少なくとも一方の手摺出入口の手前に設置される、前記移動手摺の表面の消毒を行う消毒手段と、予め定められた作動条件に基づいて、前記消毒手段による消毒動作を制御する制御手段と、当該消毒装置で得られた情報を外部の管理センターへ送信する通信手段とを備え、前記消毒手段が、複数の塗布部材を個別に収納可能な収納手段と、該収納手段から取り出された塗布部材を保持するとともに、該保持された塗布部材に消毒液を供給する消毒液供給手段と、前記収納手段に収納されている前記塗布部材を前記消毒液供給手段に保持させる機能とともに、前記消毒液供給手段に保持されている前記塗布部材を前記収納手段に収納する機能を有する塗布部材交換手段とを備え、前記消毒液供給手段に保持された前記塗布部材を、前記移動手摺の表面に接触させて、消毒液を塗布するように構成されていることを特徴としている。
【手続補正２】
【補正対象書類名】明細書
【補正対象項目名】００１１
【補正方法】変更
【補正の内容】
【００１１】
上記乗車コンベアの移動手摺消毒装置（１）によれば、前記消毒手段が前記手摺出入口の手前に設置されるため、当該消毒装置のメンテナンス作業を容易に行うことができる。また、前記制御手段により、予め定められた作動条件に基づいて、前記消毒手段による消毒動作を適切に行うことが可能となる。また、前記通信手段により、当該消毒装置で得られた各種の情報を外部の管理センターへ送信することができるので、前記管理センターでは、例えば、施設内の各乗客コンベアに設置された複数の消毒装置の情報を一元的に管理することが可能となり、これら情報に基づき、消毒装置毎に適切なメンテナンスを行うことが可能となり、情報の共有性及びメンテナンス性を向上させることができる。
また、上記乗客コンベアの移動手摺消毒装置（１）によれば、前記消毒手段を構成する前記塗布部材交換手段により、前記収納手段に収納されている塗布部材（すなわち交換用の塗布部材）を、前記消毒液供給手段に保持させ（取り付け）、また、前記消毒液供給手段に保持されている（使用済みの）前記塗布部材を前記収納手段に収納することができる。すなわち、人手を介さずに前記塗布部材の交換を自動的に行うことができるので、前記塗布部材を交換するメンテナンスの頻度を少なくすることができ、メンテナンス性を向上させることができる。
また本発明に係る乗車コンベアの移動手摺消毒装置（２）は、上記乗車コンベアの移動手摺消毒装置（１）において、前記消毒手段を構成する前記消毒液供給手段が、第１の消毒液を貯留可能な第１の貯留部と、第２の消毒液を貯留可能な第２の貯留部とを有し、前記制御手段が、前記第１の貯留部に前記第１の消毒液を供給するタイミングと、前記第２の貯留部に前記第２の消毒液を供給するタイミングとを個別に制御するものであることを特徴としている。
前記乗客コンベアの移動手摺消毒装置（２）によれば、前記消毒液供給手段が、前記第１の貯留部と前記第２の貯留部とを有しているので、２種類の消毒液を、前記塗布部材に供給することができる。また、前記第１の貯留部に前記第１の消毒液を供給するタイミングと、前記第２の貯留部に前記第２の消毒液を供給するタイミングとが個別に制御されるので、当該消毒装置の状況に応じて、第１の消毒液と第２の消毒液とを適切に使い分けることができ、無駄の少ない適切な消毒処理を行うことができる。
【手続補正３】
【補正対象書類名】明細書
【補正対象項目名】００１２
【補正方法】変更
【補正の内容】
【００１２】
また本発明に係る乗車コンベアの移動手摺消毒装置（３）は、上記乗車コンベアの移動手摺消毒装置（１）又は（２）において、前記移動手摺の表面の汚れを検出する汚れ検出手段を備え、前記制御手段が、前記汚れ検出手段により検出された汚れ状態に基づいて、前記消毒手段による消毒動作を行うタイミング及び時間を制御するとともに、前記通信手段を制御して、前記汚れ検出手段により検出された汚れ状態に関する情報を前記管理センターへ送信するものであることを特徴としている。
【手続補正４】
【補正対象書類名】明細書
【補正対象項目名】００１３
【補正方法】変更
【補正の内容】
【００１３】
上記乗車コンベアの移動手摺消毒装置（３）によれば、前記汚れ検出手段により検出された汚れ状態に基づいて、前記消毒手段による消毒動作を行うタイミング及び時間が制御されるので、前記汚れ状態に基づいた適切な頻度で、前記移動手摺の消毒を行うことができ、必要以上の消毒処理が行われることを抑制でき、消毒液等のメンテナンス費用を抑えることができる。また、前記管理センターでは、各消毒装置の前記汚れ検出手段により検出された汚れ状態に関する情報を管理することができ、消毒装置毎に適切なタイミングで必要なメンテナンスを行うことが可能となる。
【手続補正５】
【補正対象書類名】明細書
【補正対象項目名】００１４
【補正方法】変更
【補正の内容】
【００１４】
また本発明に係る乗車コンベアの移動手摺消毒装置（４）は、上記乗車コンベアの移動手摺消毒装置（１）又は（２）において、前記乗車コンベアに乗車する人数を検出する乗車人数検出手段を備え、前記制御手段が、前記乗車人数検出手段により検出される累積乗車人数に基づいて、前記消毒手段による消毒動作を行うタイミング及び時間を制御するとともに、前記通信手段を制御して、前記乗車人数検出手段により検出される累積乗車人数に関する情報を前記管理センターへ送信するものであることを特徴としている。
【手続補正６】
【補正対象書類名】明細書
【補正対象項目名】００１５
【補正方法】変更
【補正の内容】
【００１５】
上記乗車コンベアの移動手摺消毒装置（４）によれば、前記乗車人数検出手段により検出される累積乗車人数に基づいて、前記消毒手段による消毒動作を行うタイミング及び時間が制御されるので、前記累積乗車人数に基づいた適切な頻度で、前記移動手摺の消毒を行うことができ、必要以上の消毒処理が行われることを抑制でき、消毒液等のメンテナンス費用を抑えることができる。また、前記管理センターでは、各消毒装置の前記乗車人数検出手段により検出された前記累積乗車人数を管理することができ、消毒装置毎に適切なタイミングで必要なメンテナンスを行うことが可能となる。
【手続補正７】
【補正対象書類名】明細書
【補正対象項目名】００１６
【補正方法】変更
【補正の内容】
【００１６】
また本発明に係る乗車コンベアの移動手摺消毒装置（５）は、上記乗車コンベアの移動手摺消毒装置（１）又は（２）において、前記移動手摺に身体の一部が接触していることを検出する手摺接触検出手段を備え、前記制御手段が、前記手摺接触検出手段により検出される手摺接触検出状態に基づいて、前記消毒手段による消毒動作を行うタイミング及び時間を制御するとともに、前記通信手段を制御して、前記手摺接触検出手段により検出される手摺接触検出状態に関する情報を前記管理センターへ送信するものであることを特徴としている。
【手続補正８】
【補正対象書類名】明細書
【補正対象項目名】００１７
【補正方法】変更
【補正の内容】
【００１７】
上記乗車コンベアの移動手摺消毒装置（５）によれば、前記手摺接触検出手段により検出される手摺接触検出状態に基づいて、前記消毒手段による消毒動作を行うタイミング及び時間が制御されるので、前記手摺接触検出状態、例えば、移動手摺に接触した累積人数等に基づいた適切な頻度で、左右に設けられた各移動手摺の消毒を個別に行うことができ、必要以上の消毒処理が行われることを抑制でき、消毒液等のメンテナンス費用を抑えることができる。また、前記管理センターでは、各消毒装置の前記手摺接触検出手段により検出された前記手摺接触検出状態を管理することができ、消毒装置毎に適切なタイミングで必要なメンテナンスを行うことが可能となる。
【手続補正９】
【補正対象書類名】明細書
【補正対象項目名】００１８
【補正方法】変更
【補正の内容】
【００１８】
また本発明に係る乗車コンベアの移動手摺消毒装置（６）は、上記乗車コンベアの移動手摺消毒装置（１）又は（２）において、前記移動手摺の表面に付着している所定のウイルスを検出するウイルス検出手段を備え、前記制御手段が、前記ウイルス検出手段により検出されるウイルス検出状態に基づいて、前記消毒手段による消毒動作を行うタイミング及び時間を制御するとともに、前記通信手段を制御して、前記ウイルス検出手段により検出される前記所定のウイルスの検出状態に関する情報を前記管理センターへ送信するものであることを特徴としている。
【手続補正１０】
【補正対象書類名】明細書
【補正対象項目名】００１９
【補正方法】変更
【補正の内容】
【００１９】
上記乗車コンベアの移動手摺消毒装置（６）によれば、前記ウイルス検出手段により検出されるウイルス検出状態に基づいて、前記消毒手段による消毒動作を行うタイミング及び時間が制御されるので、前記ウイルスの検出状態、例えば、インフルエンザウイルスやノロウイルス等を検出した場合など、公衆衛生上、消毒を行う必要性が高い場合に、タイミングよく、かつ十分な消毒を行うことができ、公衆衛生の向上を図ることができる。また、前記管理センターでは、各消毒装置の前記ウイルス検出手段により検出された前記ウイルス検出状態を管理することができ、消毒を行う必要性が高い乗車コンベアを把握することができ、適切な消毒液への交換等、消毒装置毎に適切なタイミングで必要なメンテナンスを行うことが可能となる。
【手続補正１１】
【補正対象書類名】明細書
【補正対象項目名】００２０
【補正方法】変更
【補正の内容】
【００２０】
また本発明に係る乗車コンベアの移動手摺消毒装置（７）は、乗客コンベアのステップと同期して周回移動する移動手摺を消毒するための移動手摺消毒装置であって、前記移動手摺の引き込み側又は送り出し側の少なくとも一方の手摺出入口の手前に設置される、前記移動手摺の表面の消毒を行う消毒手段と、予め定められた作動条件に基づいて、前記消毒手段による消毒動作を制御する制御手段とを備え、前記消毒手段が、複数の塗布部材を個別に収納可能な収納手段と、該収納手段から取り出された塗布部材を保持するとともに、該保持された塗布部材に消毒液を供給する消毒液供給手段と、前記収納手段に収納されている前記塗布部材を前記消毒液供給手段に保持させる機能とともに、前記消毒液供給手段に保持されている前記塗布部材を前記収納手段に収納する機能を有する塗布部材交換手段とを備え、前記消毒液供給手段に保持された前記塗布部材を、前記移動手摺の表面に接触させて、消毒液を塗布するように構成されていることを特徴としている。
【手続補正１２】
【補正対象書類名】明細書
【補正対象項目名】００２１
【補正方法】変更
【補正の内容】
【００２１】
上記乗客コンベアの移動手摺消毒装置（７）によれば、前記消毒手段を構成する前記塗布部材交換手段により、前記収納手段に収納されている塗布部材（すなわち交換用の塗布部材）を、前記消毒液供給手段に保持させ（取り付け）、また、前記消毒液供給手段に保持されている（使用済みの）前記塗布部材を前記収納手段に収納することができる。すなわち、人手を介さずに前記塗布部材の交換を自動的に行うことができるので、前記塗布部材を交換するメンテナンスの頻度を少なくすることができ、メンテナンス性を向上させることができる。
【手続補正１３】
【補正対象書類名】明細書
【補正対象項目名】００２２
【補正方法】変更
【補正の内容】
【００２２】
また本発明に係る乗車コンベアの移動手摺消毒装置（８）は、上記乗車コンベアの移動手摺消毒装置（７）において、前記消毒手段を構成する前記消毒液供給手段が、第１の消毒液を貯留可能な第１の貯留部と、第２の消毒液を貯留可能な第２の貯留部とを有し、前記制御手段が、前記第１の貯留部に前記第１の消毒液を供給するタイミングと、前記第２の貯留部に前記第２の消毒液を供給するタイミングとを個別に制御するものであることを特徴としている。
【手続補正１４】
【補正対象書類名】明細書
【補正対象項目名】００２３
【補正方法】変更
【補正の内容】
【００２３】
前記乗客コンベアの移動手摺消毒装置（８）によれば、前記消毒液供給手段が、前記第１の貯留部と前記第２の貯留部とを有しているので、２種類の消毒液を、前記塗布部材に供給することができる。また、前記第１の貯留部に前記第１の消毒液を供給するタイミングと、前記第２の貯留部に前記第２の消毒液を供給するタイミングとが個別に制御されるので、当該消毒装置の状況に応じて、第１の消毒液と第２の消毒液とを適切に使い分けることができ、無駄の少ない適切な消毒処理を行うことができる。
【手続補正１５】
【補正対象書類名】明細書
【補正対象項目名】００２４
【補正方法】変更
【補正の内容】
【００２４】
また参考例に係る乗車コンベアの移動手摺消毒装置（９）は、乗客コンベアのステップと同期して周回移動する移動手摺を消毒するための移動手摺消毒装置であって、前記移動手摺の引き込み側又は送り出し側の少なくとも一方の手摺出入口の手前に設置される、前記移動手摺の表面の消毒を行う消毒手段と、予め定められた作動条件に基づいて、前記消毒手段による消毒動作を制御する制御手段と、当該消毒装置で得られた情報を外部の管理センターへ送信する通信手段とを備え、前記消毒手段が、前記移動手摺の表面に接触させて回転させる塗布ローラと、該塗布ローラの表面に接触させて回転させながら、前記塗布ローラに第１の消毒液を供給する第１の含浸ローラと、前記塗布ローラの表面に接触させて回転させながら、前記塗布ローラに第２の消毒液を供給する第２の含浸ローラと、前記塗布ローラに接触させるローラを前記第１の含浸ローラ又は前記第２の含浸ローラに切り換える接触ローラ切換手段とを備え、前記制御手段が、予め定められた切換条件が成立した場合に、前記接触ローラ切換手段を制御して、前記塗布ローラに接触させるローラを前記第１の含浸ローラから前記第２の含浸ローラに、又は前記第２の含浸ローラから前記第１の含浸ローラに切り換える機能を有していることを特徴としている。
【手続補正１６】
【補正対象書類名】明細書
【補正対象項目名】００２５
【補正方法】変更
【補正の内容】
【００２５】
上記乗客コンベアの移動手摺消毒装置（９）によれば、予め定められた切換条件が成立した場合に、前記塗布ローラに接触させるローラを前記第１の含浸ローラから前記第２の含浸ローラに、又は前記第２の含浸ローラから前記第１の含浸ローラに切り換えることができ、当該消毒装置の状況等に応じて２種類の消毒液を適切に使い分けることが可能となり、状況に応じた無駄の少ない適切な消毒処理を行うことができる。
例えば、通常時は、前記塗布ローラに前記第１の含浸ローラを接触させて、第１の消毒液を前記第１の含浸ローラから前記塗布ローラに含浸させて、第１の消毒液で移動手摺の消毒を行い、前記切換条件が成立した場合に、前記塗布ローラに接触させるローラを前記第１の含浸ローラから前記第２の含浸ローラに切り換えて、第２の消毒液を前記第２の含浸ローラから前記塗布ローラに含浸させて、第２の消毒液で移動手摺の消毒を行うようにすることができる。
【手続補正１７】
【補正対象書類名】明細書
【補正対象項目名】００２６
【補正方法】変更
【補正の内容】
【００２６】
また参考例に係る乗車コンベアの移動手摺消毒装置（１０）は、上記乗車コンベアの移動手摺消毒装置（９）において、前記塗布ローラの回転速度が、前記移動手摺の移動速度よりも遅くなるように、前記塗布ローラの回転速度を抑制する回転速度抑制手段を備えていることを特徴としている。
【手続補正１８】
【補正対象書類名】明細書
【補正対象項目名】００２７
【補正方法】変更
【補正の内容】
【００２７】
上記乗客コンベアの移動手摺消毒装置（１０）によれば、前記回転速度抑制手段により、前記塗布ローラの回転速度を、前記移動手摺の移動速度よりも遅くなるように調整することができ、前記塗布ローラと前記移動手摺との間に回転摺動抵抗（スリップさせる状態）を生じさせることで、消毒液の塗布効率、及び汚れの拭き取り効率等を高めることができる。
【手続補正１９】
【補正対象書類名】特許請求の範囲
【補正対象項目名】全文
【補正方法】変更
【補正の内容】
【特許請求の範囲】
【請求項１】
乗客コンベアのステップと同期して周回移動する移動手摺を消毒するための移動手摺消毒装置であって、
前記移動手摺の引き込み側又は送り出し側の少なくとも一方の手摺出入口の手前に設置される、前記移動手摺の表面の消毒を行う消毒手段と、
予め定められた作動条件に基づいて、前記消毒手段による消毒動作を制御する制御手段と、
当該消毒装置で得られた情報を外部の管理センターへ送信する通信手段とを備え、
前記消毒手段が、
複数の塗布部材を個別に収納可能な収納手段と、
該収納手段から取り出された塗布部材を保持するとともに、該保持された塗布部材に消毒液を供給する消毒液供給手段と、
前記収納手段に収納されている前記塗布部材を前記消毒液供給手段に保持させる機能とともに、前記消毒液供給手段に保持されている前記塗布部材を前記収納手段に収納する機能を有する塗布部材交換手段とを備え、
前記消毒液供給手段に保持された前記塗布部材を、前記移動手摺の表面に接触させて、消毒液を塗布するように構成されていることを特徴とする乗客コンベアの移動手摺消毒装置。
【請求項２】
前記消毒手段を構成する前記消毒液供給手段が、
第１の消毒液を貯留可能な第１の貯留部と、第２の消毒液を貯留可能な第２の貯留部とを有し、
前記制御手段が、前記第１の貯留部に前記第１の消毒液を供給するタイミングと、前記第２の貯留部に前記第２の消毒液を供給するタイミングとを個別に制御するものであることを特徴とする請求項１記載の乗客コンベアの移動手摺消毒装置。
【請求項３】
前記移動手摺の表面の汚れを検出する汚れ検出手段を備え、
前記制御手段が、前記汚れ検出手段により検出された汚れ状態に基づいて、前記消毒手段による消毒動作を行うタイミング及び時間を制御するとともに、
前記通信手段を制御して、前記汚れ検出手段により検出された汚れ状態に関する情報を前記管理センターへ送信するものであることを特徴とする請求項１又は請求項２記載の乗客コンベアの移動手摺消毒装置。
【請求項４】
前記乗車コンベアに乗車する人数を検出する乗車人数検出手段を備え、
前記制御手段が、前記乗車人数検出手段により検出される累積乗車人数に基づいて、前記消毒手段による消毒動作を行うタイミング及び時間を制御するとともに、
前記通信手段を制御して、前記乗車人数検出手段により検出される累積乗車人数に関する情報を前記管理センターへ送信するものであることを特徴とする請求項１又は請求項２記載の乗客コンベアの移動手摺消毒装置。
【請求項５】
前記移動手摺に身体の一部が接触していることを検出する手摺接触検出手段を備え、
前記制御手段が、前記手摺接触検出手段により検出される手摺接触検出状態に基づいて、前記消毒手段による消毒動作を行うタイミング及び時間を制御するとともに、
前記通信手段を制御して、前記手摺接触検出手段により検出される手摺接触検出状態に関する情報を前記管理センターへ送信するものであることを特徴とする請求項１又は請求項２記載の乗客コンベアの移動手摺消毒装置。
【請求項６】
前記移動手摺の表面に付着している所定のウイルスを検出するウイルス検出手段を備え、
前記制御手段が、前記ウイルス検出手段により検出されるウイルス検出状態に基づいて、前記消毒手段による消毒動作を行うタイミング及び時間を制御するとともに、
前記通信手段を制御して、前記ウイルス検出手段により検出される前記所定のウイルスの検出状態に関する情報を前記管理センターへ送信するものであることを特徴とする請求項１又は請求項２記載の乗客コンベアの移動手摺消毒装置。
【請求項７】
乗客コンベアのステップと同期して周回移動する移動手摺を消毒するための移動手摺消毒装置であって、
前記移動手摺の引き込み側又は送り出し側の少なくとも一方の手摺出入口の手前に設置される、前記移動手摺の表面の消毒を行う消毒手段と、
予め定められた作動条件に基づいて、前記消毒手段による消毒動作を制御する制御手段とを備え、
前記消毒手段が、
複数の塗布部材を個別に収納可能な収納手段と、
該収納手段から取り出された塗布部材を保持するとともに、該保持された塗布部材に消毒液を供給する消毒液供給手段と、
前記収納手段に収納されている前記塗布部材を前記消毒液供給手段に保持させる機能とともに、前記消毒液供給手段に保持されている前記塗布部材を前記収納手段に収納する機能を有する塗布部材交換手段とを備え、
前記消毒液供給手段に保持された前記塗布部材を、前記移動手摺の表面に接触させて、消毒液を塗布するように構成されていることを特徴とする乗車コンベアの移動手摺消毒装置。
【請求項８】
前記消毒手段を構成する前記消毒液供給手段が、
第１の消毒液を貯留可能な第１の貯留部と、第２の消毒液を貯留可能な第２の貯留部とを有し、
前記制御手段が、前記第１の貯留部に前記第１の消毒液を供給するタイミングと、前記第２の貯留部に前記第２の消毒液を供給するタイミングとを個別に制御するものであることを特徴とする請求項７記載の乗客コンベアの移動手摺消毒装置。